(57)【要約】【課題】  装置内部の熱源部から発生した熱を好適に排出しつつ、装置から発生する騒音を大幅に低減させるとともに、装置内部で発生する有害物質の排出を抑制することができる画像形成装置を提供する。【解決手段】  画像形成装置１の装置本体３の内部に連通する吸気口２ａを有するダクト２と、熱源部４から発生した熱をダクト２内へ送るための送風手段５と、ダクト２の内部にその一部が突出するように配置され、熱源部から発生した熱が伝導されるヒートシンク６とを備える。ダクト２は、排気口２ｂが装置本体３の内部に連通するように配置されている。【選択図】        図１
2005215289.tif 000002
【特許請求の範囲】
【請求項１】
熱源部を装置本体の内部に有する画像形成装置において、
前記装置本体の内部に連通する吸気口を有するダクトと、
前記熱源部から発生した熱を前記ダクト内へ送るための送風手段と、
前記ダクトの内部にその一部が突出するように配置され、前記熱源部から発生した熱が伝導されるヒートシンクとを備える画像形成装置。
【請求項２】
前記ダクトは、排気口が前記装置本体の内部に連通するように配置されている請求項１に記載の画像形成装置。
【請求項３】
前記ダクトは、前記排気口の近傍に空気の流れを規制する規制部材を備えている請求項１又は２に記載の画像形成装置。
【請求項４】
前記ヒートシンクは、前記ダクトの外側において熱伝導性の高いフレーム又はカバーに固定されている請求項１から３の何れか１項に記載の画像形成装置。
【請求項５】
前記ヒートシンクの前記ダクトの内部に突出する突出部は、前記ダクトの内部における空気の流れに沿った１又は２以上の板状に形成され、この突出部の前記空気の流れの上流側の端部の厚みが他の部分よりも薄く形成されている請求項１から４の何れか１項に記載の画像形成装置。
【請求項６】
前記フレームの上方に給紙トレイが配置されている請求項４又は５に記載の画像形成装置。
【請求項７】
前記ダクトの内部に、オゾンフィルター及びダストフィルターの一方又は双方が設けられている請求項１から６の何れか１項に記載の画像形成装置。
【発明の詳細な説明】
【技術分野】
【０００１】
本発明は、複写機、ファクシミリ装置、プリンタ等の画像形成装置に関し、特に、装置内部の熱源部から発生した熱を好適に排出しつつ、装置内部からの騒音及び有害物質の排出を抑制することが可能な画像形成装置に関する。
【背景技術】
【０００２】
複写機、ファクシミリ装置、プリンタ等の画像形成装置は、用紙に転写したトナー等の転写材を定着させるための定着部や、電源部等の発熱源となる部分、すなわち熱源部を有している。そこで、従来は、この熱源部から発生した熱により暖まった空気を、熱源部の近傍に設けたファンにより、装置の外装部材に設けられた開口部から装置外へ排出する構成が一般的に採用されていた。
【０００３】
そして、このような画像形成装置において、装置内部の駆動機構や画像形成機構の動作による動作音や、ファンの動作音が前記開口部から漏れることによる騒音を防止するために、前記開口部に空気を通す開口率を可変にしたシャッター部材を設け、装置の稼動時には開口率を小さくし、装置の停止時には開口率を大きくする構成が知られている（例えば、特許文献１参照）。このような構成では、装置の稼動時には開口率を小さくすることにより、前記動作音が前記開口部から外部に漏れることを防止するとともに、装置の停止時には開口率を大きくすることにより、ファンの停止時における冷却性能の確保を図ることができる。
【０００４】
【特許文献１】特開２００３−２９１４５８号公報（第２頁、第１図）
【発明の開示】
【発明が解決しようとする課題】
【０００５】
しかし、上記のような従来の装置では、開口部の開口率を小さくしても、開口していることには変わりはないので、そこから装置内部の駆動機構、画像形成機構、或いはファンの動作音が外部に漏れることを防止することはできず、騒音を大幅に低減することは困難である。また、開口部に設けたルーバーの角度を可変とすることにより開口率を調整していることから、開口部の開口率を小さくした場合には、ルーバーの風切音が騒音となる問題もある。更には、装置内部の暖められた空気を開口部から直接外部に排出するため、オゾンや粉塵等の装置内部で発生する有害物質が直接排出されるという問題もある。
【０００６】
本発明は、上記の課題に鑑みてなされたものであり、その目的は、装置内部の熱源部から発生した熱を好適に排出しつつ、装置から発生する騒音を大幅に低減させるとともに、装置内部で発生する有害物質の排出を抑制することができる画像形成装置を提供する点にある。
【課題を解決するための手段】
【０００７】
上記目的を達成するための本発明に係る画像形成装置の第１特徴構成は、熱源部を装置本体の内部に有する装置において、前記装置本体の内部に連通する吸気口を有するダクトと、前記熱源部から発生した熱を前記ダクト内へ送るための送風手段と、前記ダクトの内部にその一部が突出するように配置され、前記熱源部から発生した熱が伝導されるヒートシンクとを備える点にある。
【０００８】
この第１特徴構成によれば、装置本体の内部の熱源部から発生した熱により暖められた空気を送風手段によりダクト内に送り、この空気の熱を前記ダクト内に一部が突出するように配置されたヒートシンクに移すことにより、前記熱源部から発生した熱を好適に排出することができる。また、このような構成とすれば、従来の装置のように外装部材に設けられた開口部に装置内部が直接的につながることがないので、装置内部の駆動機構、画像形成機構、或いはファンの動作音が直接外部に漏れることを防止することができるとともに、ルーバーの風切音をなくすことができるので、装置から発生する騒音を大幅に低減させることができる。
【０００９】
本発明に係る画像形成装置の第２特徴構成は、上記第１特徴構成に加えて、前記ダクトは、排気口が前記装置本体の内部に連通するように配置されている点にある。
【００１０】
この第２特徴構成によれば、装置内部の暖められた空気が装置内部で循環し、装置の外側に排出されることがないので、オゾンや粉塵等の装置内部で発生する有害物質の排出を抑制することができる。
【００１１】
本発明に係る画像形成装置の第３特徴構成は、上記第１又は第２の特徴構成に加えて、前記ダクトは、前記排気口の近傍に空気の流れを規制する規制部材を備えている点にある。
【００１２】
この第３特徴構成によれば、送風手段により送られた暖められた空気を、ダクト内において適度に滞留させることが可能となるので、ヒートシンクに対して、より効率的に熱を伝導させることが可能となる。
【００１３】
本発明に係る画像形成装置の第４特徴構成は、上記第１から第３の何れかの特徴構成に加えて、前記ヒートシンクは、前記ダクトの外側において熱伝導性の高いフレーム又はカバーに固定されている点にある。
【００１４】
この第４特徴構成によれば、ダクト内においてヒートシンクに移された熱を熱伝導性の高い装置のフレーム又はカバーに更に伝導させ、そこから熱を外気に放出することができるので、装置内部の熱源部から発生した熱を好適に装置外に排出することができる。
【００１５】
本発明に係る画像形成装置の第５特徴構成は、上記第１から第４の何れかの特徴構成に加えて、前記ヒートシンクの前記ダクトの内部に突出する突出部は、前記ダクトの内部における空気の流れに沿った１又は２以上の板状に形成され、この突出部の前記空気の流れの上流側の端部の厚みが他の部分よりも薄く形成されている点にある。
【００１６】
この第５特徴構成によれば、ヒートシンクの前記突出部が、ダクト内における空気の流れを阻害することがなく、ヒートシンクの周辺での空気の循環をスムーズにして送風手段に対する負荷を軽減することができる。
【００１７】
本発明に係る画像形成装置の第６特徴構成は、上記第４又は第５の特徴構成に加えて、前記フレームの上方に給紙トレイが配置されている点にある。
【００１８】
この第６特徴構成によれば、ヒートシンクから伝導されてフレームから上方へ放出される熱が、画像形成装置の給紙トレイを暖めることになり、給紙トレイ内に収納されている用紙を保温することができるので、給紙トレイにヒータ等を設けることなく用紙を好適に乾燥状態に保つことができる。
【００１９】
本発明に係る画像形成装置の第７特徴構成は、上記第１から第６の何れかの特徴構成に加えて、前記ダクトの内部に、オゾンフィルター及びダストフィルターの一方又は双方が設けられている点にある。
【００２０】
この第７特徴構成によれば、装置内部の暖められた空気がダクト内を通過する際に、前記オゾンフィルターにより装置内で発生したオゾンが、前記ダストフィルターにより装置内で発生した粉塵が、それぞれ除去されるので、装置内で有害物質が大量に循環することを防止できるとともに、それらの有害物質の装置外への排出を抑制することができる。
【発明を実施するための最良の形態】
【００２１】
以下に、本発明の実施の形態について図面に基づいて説明する。
【００２２】
〔第１の実施形態〕
図１は、本発明に係る画像形成装置１を、電子写真方式を用いる複写機に適用した場合の一実施形態（第１の実施形態）を示す斜視図である。なお、この図１では、ダクト２が設けられている面の外装部材、及び原稿の画像を読み取るためのスキャナ部は省略して示している。また、図２は、図１に示す画像形成装置１の内部構造を示す概略図であり、図３は、図１に示す画像形成装置１の要部の構成を模式的に表した図である。この図３において、装置本体３や画像形成装置１の外形の破線で表しているのは、実際の装置ではこれらの部分が完全に密閉されておらず各所に隙間を有していることから、そのような状態を模式的に表すためである。これらの図に示すように、本実施形態に係る画像形成装置１は、装置本体３の内部に熱源部４を有するとともに、装置本体３の内部に連通する吸気口２ａを有するダクト２と、熱源部４から発生した熱をダクト２内へ送るための送風ファン５と、ダクト２の内部にその一部が突出するように配置されたヒートシンク６とを備える。以下、この画像形成装置１の各部の構成について詳細に説明する。
【００２３】
図２に示すように、画像形成装置１の装置本体３の内部には、像担持体としての円筒状の感光体ドラム７、この感光体ドラム７の表面を帯電させる帯電ユニット８、感光体ドラム７の表面に対してレーザーを照射して露光を行い静電潜像を形成するレーザースキャナユニット９、このレーザースキャナユニット９により感光体ドラム７の表面に形成された静電潜像にトナーを供給してトナー像を形成する現像ユニット１０、このトナー像を用紙に転写する転写ユニット１１、用紙に転写されたトナーを加熱及び加圧して定着させる定着ユニット１２、転写後に感光体ドラム７の表面に残留したトナーを除去するクリーニングユニット１３等が配置されている。また、装置本体３の上部には、原稿の画像を読み取るための原稿読取ユニット１４が配置されており、装置本体３の下部には、装置本体３に対して供給される用紙を収納する給紙トレイ１５が配置されている。
【００２４】
熱源部４は、装置本体３の内部において熱を発生させる部分であり、本実施形態においては、図３に模式的に示すように、定着ユニット１２、レーザースキャナユニット９、及び感光体ドラム７の周囲の帯電ユニット８、現像ユニット１０、転写ユニット１１等が該当する。なお、図３並びに後で説明する図８及び図９においては、感光体ドラム７の周囲の作像プロセスに関する各ユニットをプロセスユニット１６としてまとめて表している。これらの熱源部４の中では、定着ユニット１２が内部にヒータを備えていることから特に大量の熱を発生する。したがって、ここでは、定着ユニット１２から発生する熱を主として画像形成装置１の外に排出するのに適した構成としている。
【００２５】
図１及び図３に示すように、ダクト２は、装置本体３の内部に連通する吸気口２ａを有し、装置本体３の内部に配置された熱源部４から発生した熱により暖められた空気を、その内部に通過させるための空気流路を構成する。そして、ダクト２の内部を通過する空気が有する熱は、後述するヒートシンク６を介して画像形成装置１の外部に排出される。本実施形態においては、ダクト２は、その吸気口２ａを熱源部４の中で最も大量に熱を発生させる定着ユニット１２の近傍に配置し、定着ユニット１２から発生する熱を効率的に排出できるようにしている。また、ここでは、ダクト２の排気口２ｂも、装置本体３の内部に連通するように配置されている。具体的には、ダクト２の排気口２ｂは、吸気口２ａから離れた位置にあって装置本体３の内部につながる開口１７の近傍に配置されることにより、装置本体３の内部に連通する構成となっている。なお、ダクト２の排気口２ｂ付近を、吸気口２ａ付近と同様の形状とし、排気口２ｂを装置本体３の内部に直接連通させることも当然に可能である。ダクト２の吸気口２ａ及び排気口２ｂの配置をこのようにすることにより、画像形成装置１の内部でほとんどの空気を循環させることが可能となり、オゾンや粉塵等の装置内部で発生する有害物質の外部への排出を抑制することができる。
【００２６】
図１に示すように、本実施形態においては、ダクト２は、装置本体３の一の側面に沿って取り回すことができるように適宜折り曲げられて形成されている。この際、装置本体３の一の側面とその外側に設けられた外装部材１８（図３参照、図１では省略している）との間に好適に配置することができるようにするために、断面形状を略矩形としている。このダクト２を構成する材質は特に限定されず、合成樹脂や金属等を適宜用いることが可能である。
【００２７】
また、ダクト２は、排気口２ｂの近傍に空気の流れを規制する規制部材１９を備えている。この規制部材１９は、ダクト２の排気口２ｂにおいて排出される空気が通る開口面積を制限することにより、排出される空気の流れに対する適度の抵抗となるものである。本実施形態においては、規制部材１９は、ダクト２の排気口２ｂに嵌め込まれた複数の穴が設けられた板状部材により構成している。このような規制部材１９により、ダクト２内に流入した暖められた空気を、ダクト２内に適度に滞留させることが可能となるので、後述するヒートシンク６に対して、より効率的に熱を伝導させることが可能となる。なお、この規制部材１９により空気の流れを規制する程度は、送風ファン５の風量や熱源部４から発生する熱量によって適宜調整されるべきであり、場合によっては、上記穴を全く設けない規制部材１９としてダクト２の排気口を閉塞することもある。
【００２８】
更に、ダクト２の内部には、オゾンを吸着するオゾンフィルター２０、及び粉塵を吸着するダストフィルター２１が設けられている。したがって、装置本体３の内部の暖められた空気がダクト２内を通過する際には、オゾンフィルター２０により装置本体３の内部の帯電ユニット８等において発生したオゾンが吸着され、ダストフィルター２１により装置本体３の内部で発生したトナーや紙繊維等の粉塵が吸着され、空気から除去されるので、画像形成装置１内で有害物質が大量に循環することを防止できるとともに、それらの有害物質の画像形成装置１の外への排出を抑制することができる。
【００２９】
送風ファン５は、特許請求の範囲における送風手段に相当するものであり、熱源部４から発生した熱をダクト２内へ送るためのものである。本実施形態においては、図１及び図３に示すように、送風ファン５は、定着ユニット１２とダクト２の吸気口２ａとの間における吸気口２ａの近傍に配置され、定着ユニット１２側から空気を吸い込んでダクト２の吸気口２ａへ向けて送風する構成となっている。なお、送風ファン５の配置はこれに限定されるものではなく、熱源部４から発生した熱をダクト２内へ送ることができるような配置であればよい。したがって、例えば、送風ファン５は、ダクト２の内部に配置し、或いは定着ユニット１２に対する送風方向上流側（図３における定着ユニット１２の上側や右側）等に配置することが可能であり、更には、これらの各位置の組合せにより複数の送風ファン５を配置することも可能である。また、本発明における送風手段は、送風ファン５に限定されるものではなく、熱源部４から発生した熱をダクト２内へ送ることができるものであれば、他の装置を用いることも当然に可能である。
【００３０】
また、ダクト２の内部には、ヒートシンク６の一部が突出するように配置されている。本実施形態においては、図１、図３及び図４に示すように、ヒートシンク６のダクト２の内部に突出する突出部６ａは、ダクト２の内部における空気の流れに沿った複数の板状に形成されている。ここで、図４は、図１におけるヒートシンク６の周辺のダクト２の内部を表す拡大斜視図である。ヒートシンク６は、ダクト２の内部を流れる空気が有する熱が効率的に移動できるようにするために熱伝導性の高い材料により構成される。そして、ヒートシンク６のダクト２の外側に出ている支持部６ｂは、画像形成装置１のベースフレーム２２に固定されている。このベースフレーム２２は、画像形成装置１の底面全体を支持するフレームであって、ここでは、熱伝導性の高い金属材料により構成されている。これにより、ヒートシンク６の熱を面積が広く熱伝導性が高いベースフレーム２２を介して外気に放出することができる。ヒートシンク６の支持部６ｂは、熱伝導性が高く、比較的広い面積を有する部材であれば、他の部分に固定してもよい。具体的には、画像形成装置１の背面等に金属製のカバー等が設けられる場合には、これらのカバー等に固定することもできる。
【００３１】
ヒートシンク６の形状は、上記の形状以外にも、ダクト２の内部を流れる暖められた空気の温度や速度等に応じて各種の形状とすることができる。例えば、図５から図７に示すような形状とすることが可能である。図５に示すヒートシンク６の突出部６ａは、上記の図４に示すものと同様に、ダクト２の内部における空気の流れに沿った複数の板状に形成され、この突出部６ａの空気の流れの上流側の端部６ｃの厚みが他の部分よりも薄く形成されている。これは、ダクト２の内部において比較的早い流速で空気を流す必要がある場合等に適した形状であり、突出部６ａの前記上流側の端部６ｃの空気抵抗が小さく、ダクト２の内部における空気の流れを阻害しにくいという効果がある。また、図６に示すヒートシンク６の突出部６ａは、湾曲して波打った形状に形成されている。これは、ダクト２の内部における空気の流速が比較的遅い場合等に適した形状であり、突出部６ａの１枚当たりの表面積を大きくして冷却効率を高めることができるという効果がある。なお、図６においては突出部６ａは１枚だけとなっているが、これを複数枚並列的に設けることも当然に可能である。また、図７に示すヒートシンク６は、ダクト２と一体的に構成されている。すなわち、ヒートシンク６の突出部６ａが、ダクト２の内面のそれぞれから内側に向かって突出するように一体的に形成されており、更に、ヒートシンク６の支持部６ｂが、ダクト２の下面から下方に延びる箱形に形成されている。そして、この支持部６ｂは、ベースフレーム２２に固定されている。このような構成とする場合、ダクト２は、ヒートシンク６と同様に熱伝導性の高い材料により構成する。また、ヒートシンク６は、ベースフレーム２２を折り曲げて上方に突出させる等によりベースフレーム２２と一体的に形成することも可能である。
【００３２】
また、図１及び図２に示すように、この画像形成装置１では、装置本体３に対して供給される用紙を収納する給紙トレイ１５が、ベースフレーム２２の上方に配置されている。ここで、ベースフレーム２２は、ヒートシンク６からの熱が伝導されて暖められることから、ベースフレーム２２から上方へ放出される熱が、給紙トレイ１５を暖めることになる。したがって、給紙トレイ１５内に収納されている用紙を保温することができるので、給紙トレイ１５にヒータ等を設けることなく用紙を好適に乾燥状態に保つことができる。
【００３３】
以上のような構成を有する画像形成装置１では、装置本体３の内部の熱源部４、特に定着ユニット１２において発生した熱により暖められた空気は、送風ファン５によりダクト２内へ送られる。このダクト２の内部には、ヒートシンク６の突出部６ａが突出するように配置されているので、暖められた空気がヒートシンク６の突出部６ａを通過する際に、空気が有する熱がヒートシンク６に伝導され、空気が冷却されることになる。冷却された後の空気は、オゾンフィルター２０及びダストフィルター２１を通過してオゾン及び粉塵が除去されてからダクト２の排気口２ｂから排出され、装置本体３の内部に戻る。以上のようにして画像形成装置１の内部の空気はその大半が内部で循環することになるが、画像形成装置１の内部は完全に密閉されておらず、各所に外部との隙間があることから、一部の空気は画像形成装置１の外側に流出し、或いは外側から画像形成装置１の内部に流入する。ヒートシンク６に移った熱は、ヒートシンク６の支持部６ｂを通り、この支持部６ｂが固定されているベースフレーム２２に伝導される。そして、この熱は、広い面積を有し熱伝導性が高いベースフレーム２２から外気に放出される。この際、ベースフレーム２２の上方に配置された給紙トレイを暖めてその内部に収納されている用紙を乾燥状態に保つことができる。
【００３４】
なお、本発明の実施形態は、上記の形態に限定されるものではなく、特許請求の範囲に記載された発明の技術的範囲内において、各種の実施形態とすることが可能である。以下に、上記の実施形態と異なる実施形態について説明する。
【００３５】
〔第２の実施形態〕
図８に示す本発明の第２の実施形態に係る画像形成装置１は、上記第１の実施形態とは異なり、ダクト２の排気口２ｂが、装置本体３の内部に連通していない構成となっている。具体的には、ダクト２の排気口２ｂは、装置本体３と外装部材１８との間に配置されている。その他の構成は、上記第１の実施形態と同様である。本実施形態においては、排気口２ｂから排出された空気は、装置本体３の内部に積極的に戻されることはなく、装置本体３の隙間から装置本体３の内部に戻る以外は、外装部材１８の隙間から少しずつ画像形成装置１の外に排出されることになる。このような構成とすれば、従来の装置のように、外装部材１８に設けた開口部から直接的に空気を排出することがないので、装置本体３の内部の駆動機構、画像形成機構、或いはファンの動作音が外部に漏れることを防止することができる。また、ダクト２の排気口２ｂから排出される空気は、オゾンフィルター２０及びダストフィルター２１を通過しているので、オゾンや粉塵等の装置内部で発生する有害物質の排出を抑制することができる。
【００３６】
〔第３の実施形態〕
図９に示す本発明の第３の実施形態に係る画像形成装置１は、上記第１の実施形態とは異なり、ダクト２が、定着ユニット１２をその流路内に有する空気の循環流路を構成するように設けられている。具体的には、定着ユニット１２の両側（図９における定着ユニット１２の上下）にダクト２の吸気口２ａと排気口２ｂがそれぞれ配置されており、これらの吸気口２ａと排気口２ｂとをつなぐ略Ｃ字形にダクト２が形成され、定着ユニット１２の近傍に配置されている。そして、吸気口２ａの内部には、送風ファン５が配置されている。また、ダクト２の内部にはヒートシンク６の一部が突出するように設けられており、このヒートシンク６の支持部６ｂは、画像形成装置１の側面に設けられている側面フレーム２３に固定されている。ここでは、放熱性を考慮して、側面フレーム２３は外装部材１８に囲まれておらず露出した状態となっている。更に、ダクト２の内部には、上記第１の実施形態と同様に、オゾンフィルター２０及びダストフィルター２１が配置されている。このような構成とすれば、定着ユニット１２を流路内に含むダクト２の循環流路内でのみ空気が循環することから、画像形成装置１の外に空気が排出されることが確実に防止され、より一層の騒音防止効果と有害物質の排出抑制効果を得ることができる。また、定着ユニット１２のみを対象とした小さい循環流路のみで空気を循環させることから、送風ファン５を小型化することが可能となり、送風ファン５に起因する騒音を防止する効果をより向上させることができる。
【産業上の利用可能性】
【００３７】
本発明は、複写機、ファクシミリ装置、プリンタ等の画像形成装置に好適に適用可能であり、装置内部の熱源部から発生した熱を好適に排出しつつ、装置内部からの騒音及び有害物質の排出を抑制することが可能である。
【図面の簡単な説明】
【００３８】
【図１】本発明に係る画像形成装置の第１の実施形態を示す斜視図
【図２】図１に示す画像形成装置の内部構造を示す概略図
【図３】図１に示す画像形成装置の要部の構成の模式図
【図４】図１におけるヒートシンクの周辺のダクトの内部を表す拡大斜視図
【図５】本発明に係る画像形成装置のヒートシンクの形状の一例を示す斜視図
【図６】本発明に係る画像形成装置のヒートシンクの形状の一例を示す斜視図
【図７】本発明に係る画像形成装置のヒートシンクの形状の一例を示す斜視図
【図８】本発明に係る画像形成装置の第２の実施形態を示す模式図
【図９】本発明に係る画像形成装置の第３の実施形態を示す模式図
【符号の説明】
【００３９】
１  画像形成装置
２  ダクト
２ａ  ダクトの吸気口
２ｂ  ダクトの排気口
３  装置本体
４  熱源部
５  送風ファン（送風手段）
６  ヒートシンク
６ａ  ヒートシンクの突出部
６ｂ  ヒートシンクの支持部
９  レーザースキャナユニット
１２  定着ユニット
１５  給紙トレイ
１６  プロセスユニット
１８  外装部材
１９  規制部材
２０  オゾンフィルター
２１  ダストフィルター
２２  ベースフレーム
２３  側面フレーム
【図１】
2005215289.tif 000003
【図２】
2005215289.tif 000004
【図３】
2005215289.tif 000005
【図４】
2005215289.tif 000006
【図５】
2005215289.tif 000007
【図６】
2005215289.tif 000008
【図７】
2005215289.tif 000009
【図８】
2005215289.tif 000010
【図９】
2005215289.tif 000011